(57)【要約】【課題】  本発明は、地盤の不安定な現場での敷設を極力、簡単かつ迅速に行なえる吸排水機能の優れたドレインパイプを提供することにある。【解決手段】  プラスチックスパイプの長さ方向の外周の肉厚断面が凹凸で、凹の溝の部分に多数の穴が構成されてなるプラスチックスパイプの凹となる部分の溝に、棒状、又は略T字形や筒状のプラスチックスをソウメン状に押し出しカールさせた三次元立体網目構造体を構成させると共に、更にその上に不織布又は織布で挟着させたことを特長とするドレインパイプとした。 【選択図】図１
2011106220.tif 000002
【特許請求の範囲】
【請求項１】
パイプの長さ方向の外周の肉厚断面が凹凸で、凹の溝の底面やヨコ部分に多数の穴が構成されてなるパイプにおいて、凹となる部分の溝に、棒状、又は略Ｔ字形や筒状の三次元立体網目構造体の成形物を挟着させたことを特徴とするドレインパイプ。
【請求項２】
請求項１の三次元立体網目構造体の回り全体、又は部分を不織布又は織布を構成してなることを特徴とするドレインパイプ。
【請求項３】
請求項１、２において、プラスチックス製パイプの押し出し製造時に、三次元立体網目構造体の成形物を挟着してなることを特徴とするドレインパイプ。
【発明の詳細な説明】
【技術分野】
【０００１】
本発明は、吸排水するための三次元網目構造体の成形物と不織布又は織布などと、フレキシブルで表面に溝状の凹凸を持つ穴あきのプラスチック製フレキシブルパイプとを一体にすることによって、軟弱地盤の改善が容易に図れることに関するものである。
【背景技術】
【０００２】
従来のドレインパイプと言えば、鋼製の保護パイプと水ジエット装置を利用して、地表から地中に１５ｍから２０ｍ圧入して、その一端を地上に突出させて開口させ、その開口部に土砂混入防止用のキャップを取り付けて使用され、大規模な物件に採用されていた。
【０００３】
特許文献１では、所定の間隔を隔てて螺旋状に巻回形成された強度部材の外周に、合成樹脂製の薄い延伸フイルム材で形成した表裏２枚の割り布の間に不織布や織布を挟みこんで積層形成した集水用膜状布を巻きつけて、両者を挟着させたものがある。また、このような割り布を使用して三層状とした集水用膜状布を螺旋状に巻回してパイプ本体を形成し、この膜状布の繋ぎ合わせ部の外周に三角突起状断面とした補強材を挟着して一体化した地中埋設用の暗きょう排水管もドレインパイプとして使用されている。
【０００４】
特許文献２には、容易で安全な作業によって暗渠排水用有孔管への土砂流入を効果的に
かつ恒久的に防止できる土砂流入防止部材、及び土砂流入防止方法を提供することにあるとあり、その構成は、連続的にカールさせたポリプロ繊維を集合させ、その状態で熱をかけて、各ポリプロ繊維同士をお互いに部分的に融着させることによって土砂流入防止部材を製造した。そして、得られた土砂流入防止部材を有孔管に巻き付けて土砂流入防止層を形成し、更に、その上から不織布を巻き付けることによって、有孔管に土砂流入防止処理を施したとある。
【先行技術文献】
【特許文献】
【０００５】
【特許文献１】特開平７―４８８２５
【特許文献２】特開平８−２７７６６
【発明の概要】
【発明が解決しようとする課題】
【０００６】
このように解決しようとする課題は、前述の特許文献１のドレインパイプでは、地中へのパイプ挿入時において、パイプの自立性が弱いので、掘削の穴の壁面に接触することが多く、損傷しやすいと言う大きな欠点があった。従って穴を必要以上に大きく掘る必要があるし、それが又、地盤が安定しないと言う欠点に繋がっていた。
【０００７】
また、特許文献２では、有孔管の周りに不織布を巻きつけるとあるが、施工時、特に土壌に開孔された縦穴にこのドレインパイプを挿入するとき、有孔管と土砂流入防止部材や不織布との密着性が充分でなく現場でのトラブルが想定される。
【０００８】
本発明は、従来のドレインパイプが有していた以上のような課題に着目して、ドレインパイプの自立性を先ずよくすると共に、パイプの長さ方向の外周の肉厚断面を工夫して目詰まりも無く、現場での縦穴への挿入時にも損傷の無いドレインパイプを提供せんとするものである。
【課題を解決するための手段】
【０００９】
請求項１では、パイプの外周の長さ方向の肉厚断面が凹凸で、凹の溝の部分に多数の穴が構成されてなるパイプにおいて、その凹となる部分の溝に、棒状、又は略T字形や筒状の三次元立体網目構造体を構成したことを特徴とするドレインパイプとした。
【００１０】
プラスチックス製パイプの長さ方向の外周の肉厚断面を凹凸として、その凹部の溝の部分に多数の穴を構成して、更にその溝に、棒状とした立体網目構造体や、略T字形や筒状とした立体網目構造体をパイプ外周面の溝にはめ込むようにして構成することにした。三次元立体網構造体の棒状の構造は、空間を自由に大きくしたり小さくしたり、筒状にしたり、つまり密度を自由に変えることが出来るし、柔らかくも硬くも出来る。
【００１１】
プラスチックス製パイプの外周の長さ方向の肉厚断面を凹凸とした、その凸部を四角の矩形としてプラスチックス製パイプの内面をフラットにすると排水される水の流れがよくなる。しかし可とう性が欠けることになるので、使用される現場の状況を良く見極めて選定することが重要である。
【００１２】
請求項２では、請求項１の立体網目構造体の成形物の回り全体、又は部分を不織布又は織布で構成してなることを特徴とするドレインパイプとした。
【００１３】
前述の棒状や略Ｔ字形三次元立体網構造体や筒状の網目だけでは、比較的粗めの砂礫しかろ過できなく、更に微粒の骨材をもろ過しようとすると、その上面や底面に不織布、緻密な織布等を構成することが必要となる。三次元立体網構造体の網目を変えたり、不織布又は織布等の網目の構成を変えることで、対象のろ過物に対する緻密な設計の構成とすることが出来る。不織布や織布の代わりに色々なフィルター材などのろ過材が使用できることは勿論である。
【００１４】
不織布又は織布等の構成物を三次元立体網構造体に巻きつけるとか、挟着しておくとドレインパイプの現場での施工時の扱いが容易となるし、請求項１に不織布や織布を平面状に巻きつけてフレキシブルパイプにビス金具などで固定すると、更に安定したものになる。
【００１５】
この時使用される織布は，ナイロン製で３０デニール程度のフィラメントを使用して挟着させておくと、砂の目詰まりが少なく、破断時に連続して破れることの無い、透水性抜群のフィルターとなる。
【００１６】
又、不織布はポリプロピレン製で６デニール程度のノーバインダーで熱融着された不織布で厚みが３ミリメートル程度のものがころあいである。この不織布は、透水係数が粗砂と同程度であるにもかかわらず、ヘドロから通常の土質まで使用できるが、唯一水酸化鉄を大量に含むヘドロには不向きである。この時は前述の織布の使用が望ましい。
【００１７】
請求項３では、請求項１、２において、パイプの押し出し製造時に、立体網目構造体の成形物を挿入一体としてなることを特徴とするドレインパイプとした。
【００１８】
このことは、断面に凹凸を持ち、凹の部分に穴を押し出しと同時に開孔すると共に、その孔の開けられた凹の部分の溝に略Ｔ字形や筒状をした三次元立体網構造体を装着、できれば挟着することで構成したドレインパイプとした。パイプ押し出し製造時に樹脂がさめない内に装着することで、樹脂の収縮する力を利用すると三次元立体網構造体を確実に装着することが出来る。この時、不織布又は織布も同時に構成できると更にすばらしいものとなる。
【００１９】
もちろん、パイプ押し出し成形後に穴あけ加工したり、又は穴あけ加工した溝に三次元立体網構造体を強制的に押し込んで装着させても良い。
【発明の効果】
【００２０】
ドレインパイプの中心部材であるプラスチックス製フレキシブルパイプ１１の、長さ方向の外周の肉厚断面を凹凸として、その凹部の溝の部分に多数の穴を構成して、更にその溝に、棒状とした立体網目構造体や、略Ｔ字形や筒状とした立体網目構造体を構成することで、空間を自由に大きくしたり小さくしたり、つまり密度を自由に変えることが出来るし、パイプの外周面からはみ出して、ろ過する表面積を増やすことも出来るし、柔らかくも硬くも出来る。
【００２１】
従来、一般的に使用されているドレインパイプは合成樹脂製が大半で、例えば約１００ｍｍ径に所定の間隔を隔てて螺旋状に巻回形成された強度部材の外周に、合成樹脂製の薄い延伸フイルム材で形成した表裏２枚の割り布の間に不織布又は織布６や織布を挟みこんで積層形成した集水用膜状布を巻きつけて、両者を接着させたものがある。
【００２２】
特許文献１にある割り布を使用して三層状とした集水用膜状布を螺旋状に巻回してパイプ本体を形成し、この膜状布の繋ぎ合わせ部の外周に三角突起状断面とした補強材を接着して一体化した地中埋設用のドレインパイプとして使用されているものとは違って、きわめてパイプそのものの強度が強いばかりか、パイプとろ過部分との接合強度が強く、施工現場での取扱いが極めて容易であり、作業能率が上がりコストダウンの出来るのである。
【００２３】
三次元立体網構造体５の網目だけでは、比較的粗めの砂礫しかろ過できなく、更に微粒の骨材をもろ過しようとすると、その上面や底面に不織布や緻密な織布等を構成することが必要となる。三次元立体網構造体５の網目を変えたり、不織布又は織布６や緻密な織布等の網目の構成を変えることで、対象のろ過物に対する緻密な設計の構成とすることが出来る。緻密な不織布や織布等の構成物を三次元立体網構造体５と強く巻きつけるとか、挟着しておくとドレインパイプとしての完成品の施工時の扱いが容易となる。
【００２４】
以上のように、このことは断面に凹凸を持ち、凹の部分に穴を押し出しと同時に開孔すると共に、その孔の開けられた凹の部分の溝に棒状や略Ｔ字形や筒状をした三次元立体網構造体５を装着、できれば溶着することで構成したドレインパイプとした。この時、不織布又は織布６も同時に構成できると更にすばらしいものとなる。
【００２５】
このドレインパイプの中心部材であるプラスチックス製パイプ１１の、長さ方向の外周の肉厚断面を凹凸として、その凹部の溝の部分に多数の穴を構成してなる、プラスチックスの一体構造であることから、土圧にも強く自立性もよいので、パイプとして極めて高強度なものなので、従来のようなパイプの強度を落とさないでろ過機能を付与できたものとなる。従って、現場での施工時にろ過材である不織布又は織布などの部材などが剥がれることもなく施工がスムーズに行なえる。
【図面の簡単な説明】
【００２６】
【図１】本発明請求項１のドレインパイプの斜視図である。
【図２】本発明請求項２のドレインパイプの斜視図である。
【図３】穴あきプラスチック製パイプの一部を欠損させ、断面を露出させた斜視図である。
【図４】凹部の溝に棒状の三次元立体網構造体を挟着させたパイプ外周部分断面図である。
【図５】凹部の溝に凹部から突出した棒状の三次元立体網構造体を挟着させたパイプ外周部分断面図である。
【図６】図４の三次元立体網構造体に不織布又は織布を構成したパイプ外周部分断面図である。
【図７】図５の三次元立体網構造体に不織布又は織布を構成したパイプ外周部分断面図である。
【図８】凹部の溝に略Ｔ字形棒状の三次元立体網構造体と不織布又は織布を挟着させたパイプ外周部分断面図である。
【図９】図４のパイプ外周面に不織布又は織布を被せて凸部でビス留めしたパイプ外周断面図である。
【図１０】略Ｔ字形の三次元立体網構造体の斜視図である。
【図１１】筒状の三次元立体網構造体の斜視図である。
【発明を実施するための形態】
【００２７】
プラスチックス製パイプ１１の長さ方向の外周の肉厚断面を凹凸にすることで、縦横の断面が高強度のパイプとなる。凹の溝となる部分に多数の穴を構成しても、全体の強度はさして落ちない、そんなプラスチックス製パイプ１１の凹となる部分の溝に、棒状、又は略Ｔ字形や筒状の立体網目構造体を構成してドレインパイプを製作することにした。
【００２８】
この時、ろ過性能を上げるための調整を、略Ｔ字形や棒状の立体網目構造体の成形物に不織布や織布を定着させることで、対象となる液状化の可能性の高い軟弱地盤の土壌に合わせた設計が出来る。
【実施例１】
【００２９】
図１は、本発明請求項１のドレインパイプ１の斜視図であって、プラスチックス製パイプの凹凸とした凹の溝に三次元立体網目構造体５を構成したものである。３は凸の部分である。
【００３０】
図２は、本発明請求項２のドレインパイプ１の斜視図であって、プラスチックス製パイプの凹凸とした凹の溝に、三次元立体網目構造体５を構成したものである。不織布又は織布６を巻回しビス１０で凸部に挟着した例図である。
【００３１】
図３は、この時使用されるプラスチックス製パイプ１１の斜視図（一部断面）である。凹の部分の溝２の谷部には多数の穴４が明けられている。このプラスチックス製パイプ１１は押出機によって製作され、その押し出し作業中に同時に穴あけが施されると好都合であるが、プラスチックス製パイプ１１の成形後に穴あけしても何ら差し支えは無い。
【００３２】
図４では、プラスチックス製パイプの外周断面凹部の溝２に、棒状や略Ｔ字形をした三次元立体網目構造体５を外周面の凹部の溝２にはめ込むように構成した部分断面図である。この三次元立体網目構造体５はプラスチックスをそうめん状のフィラメントにカールさせながら押し出し、その直後の温度の高いうちにお互いのフィラメントを絡ませながら溶着し、更には、棒状や、略Ｔ字形や筒状をした三次元立体網目構造体５に成型するのである。
【００３３】
図５では、図４の棒状の三次元立体網目構造体５の成形物の形状を凹部の溝２からはみ出す大きさとして、出来るだけろ過できる表面積を稼ぐようにして目詰まりを極力防ごうとしたものである。
【００３４】
図６では、図４の棒状の三次元立体網目構造体５に不織布又は織布６を被せた構造とした部分断面図である。不織布又は織布６を三次元立体網目構造体５の上に被せることで、細かな骨材をパイプ内部に通さないように出来るし、この不織布や織布６の粗さや、織りの状態でその土壌に合った最適な組合せとすることが出来るのである。
【００３５】
図７は、図５に不織布又は織布６を構成した部分断面図である。凹部から三次元立体網目構造体５が突出しているのでより目詰まりは起こしにくいが、軟弱な地盤に穴をあけて、本発明のドレインパイプを挿入するとき、出っ張りがある分挿入しづらいと言う問題があり、プラスチックス製パイプ１１と三次元立体網目構造体５の棒状や、略Ｔ字形や筒状の成形物が外れることが考えられる。
【００３６】
そこで三次元立体網目構造体５の成形物とプラスチックス製パイプ１１が外れないように、プラスチックスの成形時の収縮を利用したり、強制的に挿入して挟着させてもよい。いずれにしても三次元立体網目構造体５を凹部の溝に強く挟着するのである。
【００３７】
図８は、プラスチックス製パイプの外周断面の凹部の溝２に、略Ｔ字形の三次元立体網目構造体５を挟着した斜視図である。凸部に跨る様に構成することで、三次元立体網目構造体５の一部に翼をつけたような形を構成するので、ろ過性能の優れたものに出来る。この三次元立体網目構造体５の略Ｔ字形７にも、不織布又は織布６を巻きつけたり部分に構成すると、最適なろ過性能とすることが出来る。
【００３８】
図９は、図４のパイプ外周面に不織布又は織布６を被せて凸部３にビス１０で留めたパイプ外周断面図である。    
【００３９】
図１０は、略Ｔ字形の三次元立体網構造体７の斜視図である。
【００４０】
図１１、は三次元立体網目構造体の成形物の形状や棒状を進化させて筒状８にしてもよいが、この場合凹部の溝の大きさが大きい場合に限られる。
【産業上の利用可能性】
【００４１】
三次元立体網目構造体をプラスチックス製パイプ１１の全体に構成することで、ろ過性能が均一に発揮できるし、地下に埋まっているので、プラスチックスの劣化に大敵な紫外線の影響も受けないので半永久的に使用され、効果を充分に発揮できることとなる。従って大規模な軟弱地盤の改良にはうってつけのドレインパイプとなる。
【符号の説明】
【００４２】
１    ドレインパイプ
２    凹部
３    凸部
４    穴
５    棒状三次元立体網目構造体
６    不織布又は織布
７    略Ｔ字形三次元立体網目構造体
８    筒状三次元立体網目構造体
９    凸出させた棒状三次元立体網目構造体    
１０  ビス
１１  プラスチックス製パイプ
【図１】
2011106220.tif 000003
【図２】
2011106220.tif 000004
【図３】
2011106220.tif 000005
【図４】
2011106220.tif 000006
【図５】
2011106220.tif 000007
【図６】
2011106220.tif 000008
【図７】
2011106220.tif 000009
【図８】
2011106220.tif 000010
【図９】
2011106220.tif 000011
【図１０】
2011106220.tif 000012
【図１１】
2011106220.tif 000013